(57)【要約】移動通信システムにおける逆方向リンクの送信制御方法を提供する。基地局から移動端末に順方向チャネルを通じて移動端末のデータ伝送率変更のための順方向情報を受信した後、移動端末が伝送しようとするデータの伝送率を制御する方法において、順方向情報がデータ伝送率の増加を示す場合、移動端末の最大伝送率内でデータ伝送率を増加する過程と、次のフレームのデータ伝送率の増加可能可否を検査し、検査結果を前記基地局に伝送する過程と、を含む。
2004528769.tif 000002
【特許請求の範囲】
【請求項１】
基地局から移動端末に順方向チャネルを通じて前記移動端末のデータ伝送率変更のための順方向情報を受信した後、前記移動端末が伝送しようとするデータの伝送率を制御する方法において、
前記順方向情報が前記データ伝送率の増加を示す場合、前記移動端末の最大伝送率内で前記データ伝送率を増加する過程と、
次のフレームの前記データ伝送率の増加可能可否を検査し、前記検査結果を前記基地局に伝送する過程と、を含むことを特徴とする前記方法。
【請求項２】
前記順方向情報は、拡張逆方向活性ビットである請求項１記載の前記方法。
【請求項３】
前記順方向情報を伝送する基地局が二つ以上である場合、前記基地局から受信された拡張逆方向活性ビットから制御逆方向活性ビットを決定し、これを前記伝送率変更情報に利用する請求項２記載の前記方法。
【請求項４】
前記制御逆方向活性ビットは、
すべての基地局から受信された拡張逆方向活性ビットのうち、少なくとも一つの拡張逆方向活性ビットが条件付き減少である場合、制御逆方向活性ビットを条件付き減少に設定し、
すべての基地局から受信された拡張逆方向活性ビットが条件付き減少でなく、少なくとも一つの拡張逆方向活性ビットが無条件維持である場合、制御逆方向活性ビットを無条件維持に設定し、
すべての基地局から受信された拡張逆方向活性ビットが条件付き減少でも無条件維持でもなく、少なくとも一つの拡張逆方向活性ビットが条件付き増加である場合、制御逆方向活性ビットを条件付き増加に設定し、
すべての基地局から受信された拡張逆方向活性ビットのすべてが無条件増加である場合、制御逆方向活性ビットを無条件増加に設定することに応じて構成される請求項３記載の前記方法。
【請求項５】
基地局から移動端末に順方向チャネルを通じて前記移動端末のデータ伝送率変更のための情報を受信した後、前記移動端末が伝送しようとするデータの伝送率を制御する方法において、
前記順方向情報が前記データ伝送率の条件付き増加を示す場合、以前フレームの伝送率増加情報に基づいて、最大伝送率内で前記データ伝送率を増加する過程と、
次のフレームの前記データ伝送率の増加可能可否を検査し、前記検査結果を前記基地局に伝送する過程と、を含むことを特徴とする前記方法。
【請求項６】
前記順方向情報は、拡張逆方向活性ビットである請求項５記載の前記方法。
【請求項７】
前記順方向情報を伝送する基地局が二つ以上である場合、前記基地局から受信された拡張逆方向活性ビットから制御逆方向活性ビットを決定し、これを前記伝送率変更情報に利用する請求項６記載の前記方法。
【請求項８】
前記制御逆方向活性ビットは、
すべての基地局から受信された拡張逆方向活性ビットのうち、少なくとも一つの拡張逆方向活性ビットが条件付き減少である場合、制御逆方向活性ビットを条件付き減少に設定し、
すべての基地局から受信された拡張逆方向活性ビットが条件付き減少でなく、少なくとも一つの拡張逆方向活性ビットが無条件維持である場合、制御逆方向活性ビットを無条件維持に設定し、
すべての基地局から受信された拡張逆方向活性ビットが条件付き減少でも無条件維持でもなく、少なくとも一つの拡張逆方向活性ビットが条件付き増加である場合、制御逆方向活性ビットを条件付き増加に設定し、
すべての基地局から受信された拡張逆方向活性ビットのすべてが無条件増加である場合、制御逆方向活性ビットを無条件増加に設定することに応じて構成される請求項７記載の前記方法。
【請求項９】
基地局から移動端末に順方向チャネルを通じて前記移動端末のデータ伝送率変更のための情報を受信した後、前記移動端末が伝送しようとするデータの伝送率を制御する方法において、
前記順方向情報が前記データ伝送率の条件付き減少を示す場合、以前フレームの伝送率増加情報に基づいて、最小伝送率内で前記データ伝送率を減少する過程と、
次のフレームの前記データ伝送率の増加可能可否を検査し、前記検査結果を前記基地局に伝送する過程と、を含むことを特徴とする前記方法。
【請求項１０】
前記順方向情報は、拡張逆方向活性ビットである請求項９記載の前記方法。
【請求項１１】
前記順方向情報を伝送する基地局が二つ以上である場合、前記基地局から受信された拡張逆方向活性ビットから制御逆方向活性ビットを決定し、これを前記伝送率変更情報に利用する請求項１０に記載の前記方法。
【請求項１２】
前記制御逆方向活性ビットは、
すべての基地局から受信された拡張逆方向活性ビットのうち、少なくとも一つの拡張逆方向活性ビットが条件付き減少である場合、制御逆方向活性ビットを条件付き減少に設定し、
すべての基地局から受信された拡張逆方向活性ビットが条件付き減少でなく、少なくとも一つの拡張逆方向活性ビットが無条件維持である場合、制御逆方向活性ビットを無条件維持に設定し、
すべての基地局から受信された拡張逆方向活性ビットが条件付き減少でも無条件維持でもなく、少なくとも一つの拡張逆方向活性ビットが条件付き増加である場合、制御逆方向活性ビットを条件付き増加に設定し、
すべての基地局から受信された拡張逆方向活性ビットのすべてが無条件増加である場合、制御逆方向活性ビットを無条件増加に設定することに応じて構成される請求項１１記載の前記方法。
【請求項１３】
基地局から移動端末に順方向チャネルを通じて前記移動端末のデータ伝送率変更のための情報を受信した後、前記移動端末が伝送しようとするデータの伝送率を制御する方法において、
前記順方向情報が前記データ伝送率の無条件維持を示す場合、現在データ伝送率を維持する過程と、
次のフレームの前記データ伝送率の維持可能可否を検査し、前記検査結果を前記基地局に伝送する過程と、を含むことを特徴とする前記方法。
【請求項１４】
前記順方向情報は、拡張逆方向活性ビットである請求項１３記載の前記方法。
【請求項１５】
前記順方向情報を伝送する基地局が二つ以上である場合、前記基地局から受信された拡張逆方向活性ビットから制御逆方向活性ビットを決定し、これを前記伝送率変更情報に利用する請求項１４記載の前記方法。
【請求項１６】
前記制御逆方向活性ビットは、
すべての基地局から受信された拡張逆方向活性ビットのうち、少なくとも一つの拡張逆方向活性ビットが条件付き減少である場合、制御逆方向活性ビットを条件付き減少に設定し、
すべての基地局から受信された拡張逆方向活性ビットが条件付き減少でなく、少なくとも一つの拡張逆方向活性ビットが無条件維持である場合、制御逆方向活性ビットを無条件維持に設定し、
すべての基地局から受信された拡張逆方向活性ビットが条件付き減少でも無条件維持でもなく、少なくとも一つの拡張逆方向活性ビットが条件付き増加である場合、制御逆方向活性ビットを条件付き増加に設定し、
すべての基地局から受信された拡張逆方向活性ビットのすべてが無条件増加である場合、制御逆方向活性ビットを無条件増加に設定することに応じて構成される請求項１５記載の前記方法。
【請求項１７】
前記次のフレームの前記データ伝送率の増加可能可否を検査する時、前記順方向情報の受信以前フレームに伝送したデータ伝送率の増加可能可否値が伝送率増加不能である場合、増加可能テストを遂行しなく、前記以前に検査された伝送率増加可能可否値を基地局に伝送する請求項１３記載の前記方法。
【請求項１８】
移動端末から次のフレームの逆方向データ伝送率の増加可能可否情報を受信した後、前記移動端末の逆方向データ伝送率を制御する方法において、
前記移動端末から受信された逆方向リンクの増加可能可否情報値及び逆方向リンクの受容容量を検査して前記移動端末の拡張逆方向活性ビットを決定し、これを移動端末に送信する過程を含むことを特徴とする前記方法。
【請求項１９】
前記拡張逆方向活性ビットの決定は、
現在逆方向状態が過負荷状態である場合、条件付き減少を知らせる逆方向活性ビットを生成し、
現在逆方向状態がすべての端末の伝送率が増加しても過負荷にならない場合、無条件増加を知らせる逆方向活性ビットを生成し、
現在逆方向状態が過負荷状態でなく、同時に前記伝送率の増加が可能なすべての端末の伝送率増加を受容することができる場合、条件付き増加を知らせる逆方向活性ビットを生成し、
現在逆方向状態が過負荷状態でなく、同時に前記伝送率の増加が可能なすべての端末の伝送率増加を受容できない場合、無条件維持を知らせる逆方向活性ビットを生成する請求項１８に記載の前記方法。
【請求項２０】
基地局から移動端末に順方向チャネルを通じて前記移動端末のデータ伝送率変更のための情報を受信した後、前記移動端末が伝送しようとするデータの伝送率を制御する移動端末装置において、
前記順方向情報が前記データ伝送率の増加である場合、最大伝送率内で前記データ伝送率を増加するように制御し、前記順方向情報が前記データ伝送率の条件付き増加である場合、以前フレームの伝送率増加情報に基づいて最大伝送率内で前記データ伝送率を増加するように制御し、前記順方向情報が前記データ伝送率の条件付き減少である場合、以前フレームの伝送率増加情報に基づいて最小伝送率内で前記データ伝送率を減少するように制御し、前記順方向情報が前記データ伝送率の無条件維持である場合、現在データ伝送率を維持するように制御し、次のフレームの前記データ伝送率の増加可能可否を検査して前記検査結果を前記基地局に伝送することを特徴とする前記移動端末装置。
【請求項２１】
移動端末から次のフレームの逆方向データ伝送率の増加可能情報を受信した後、前記移動端末の逆方向データ伝送率を制御する基地局装置において、
前記移動端末から受信された逆方向リンクの増加可能情報値及び逆方向受容容量を検査して拡張逆方向活性ビットを決定する装置と、
前記拡張逆方向活性ビットを前記移動端末に送信する装置と、からなる前記基地局装置。
【発明の詳細な説明】
【技術分野】
【０００１】
本発明は、移動通信システムでの送信制御方法に関するもので、特に逆方向リンクの送信を制御するための方法に関する。
【背景技術】
【０００２】
一般的に移動通信システムの技術は飛躍的に発展して、現在多様な種類のシステムが提案されており、これらの常用化に拍車をかけている。このようなシステムは一般的にＣＤＭＡ(Code Division Multiple Access)方式を利用しており、データのみを伝送するＨＤＲ(High Data Rate)という１ｘＥＶＤＯ(1x Evolution Data Only)システムが提案された。前記１ｘＥＶＤＯシステムは高速データの伝送のみを目的とするＣＤＭＡ技術を利用した移動通信システムである。
【０００３】
他のシステムと同様に、このような１ｘＥＶＤＯシステムでも順方向と逆方向にパケットデータを効率的に伝送するためには、適切なスケジューリングが遂行されるべきである。先ず、以下の用語で“順方向”とは基地局から端末へのリンクを意味し、“逆方向”とは端末から基地局へのリンクを意味する。順方向(Forward Link)データ伝送の場合、基地局は前記基地局と１ｘＥＶＤＯ移動局間のエア(air)状態及びその他の環境を考慮して、最も良好なチャネル状態を有する特定の一つの移動局のみにデータを伝送する。従って、移動局へのデータ伝送効率(Throughput)を極大化する特性を有している。しかし、逆方向(Reverse Link)伝送の場合、多数の移動局が基地局に同時にアクセスしてパケットデータの伝送を遂行する。これによって基地局は多数の移動局から受信されるデータの流れ及び輻輳(congestion)現象を適切に制御して移動局の容量内で適切なオーバーロード制御を遂行すべきである。
【０００４】
また、上述した１ｘＥＶＤＯシステムだけではなく、マルチメディアサービスを提供するために提案された他の移動通信システムも、このような逆方向リンクのデータを効率的に管理すべきである。逆方向リンクの伝送を効率的に制御するためには、システムの性能及びキャパシティーなどが保障されるべきである。
【０００５】
以下、逆方向パケットデータの伝送を管理する現在の方法を説明する。現在の１xＥＶＤＯシステムで、逆方向リンクのデータ伝送は基地局から伝送されるＲＡＢ(Reverse Activity Bit)とＲＲＬ(Reverse Rate Limit)メッセージにより遂行される。また移動局は時々刻々に変わる移動局の伝送率をＲＲＩ(Reverse Rate Indicator)を通じて基地局に知らせる。前記１xＥＶＤＯシステムの順方向リンクＭＡＣ(Medium Access Control)チャネルはパイロットチャネル(Pilot channel)、ＦＡＢ(Forward Activity Bit)チャネル及びＲＡＢ(Reverse Activity Bit)チャネルを時分割多重化して基地局から移動局に伝送する。この中、ＲＡＢは逆方向リンクの混雑度を示す部分として、ＲＡＢの値に従って移動局が伝送することができるデータの伝送率が変化するようになる。即ち、基地局は逆方向リンクのオーバーロード及びキャパシティーなどを調節する時、ＲＡＢを利用して移動局からのデータ伝送率を増加、または減少させ移動局からのデータ流れを制御する。しかし、ＲＡＢはブロードキャスティングされる情報であるので、ＲＡＢを受信するすべての移動局はＲＡＢの値に応じて一律にデータ伝送率を２倍増加、または２倍減少させる。この時、前記ＲＡＢの伝送周期、または伝送時期は、下記式(1)により決定される。
【０００６】
【数１】
2004528769.tif 000003
【０００７】
前記式(1)でＴはシステム時間であり、ＲＡＢlengthは基地局から移動局に伝送されるパラメータとしてスロットの数に決定される値である。これを表に示すと、下記表１のように示すことができる。即ち基地局は下記表１の任意の一つのスロット値を移動局に伝送する。すると、移動局は受信したＲＡＢlengthとシステム時間を考慮してＲＡＢを受信するスロット時間を決定する。移動局はこのように決定されたスロット時間を通じて順方向ＭＡＣチャネルのＲＡＢを受信するようになる。
【０００８】
【表１】
2004528769.tif 000004
【０００９】
即ち、基地局は前記式(1)の時間に合わせてＲＡＢを伝送し、移動局は前記式(1)の計算結果に従ってＲＡＢを受信して現在の逆方向リンクに伝送することができるデータ伝送率を決定する。結局、移動局は式(1)で決定されたＲＡＢ受信時間によって逆方向リンクのデータ伝送率の増加及び減少を決定する。
【００１０】
これを詳述すると、下記のようである。
移動局はコネクション連結時、または連結中に基地局からのメッセージに定義されたパーシストテンスベクトル(persistence vector)を受信する。前記パーシストテンスベクトルはＲＡＢが“０”である場合、データ伝送率を増加させるようにセットされ、ＲＡＢが“１”である場合、データ伝送率を減少させるようにセットされる。このように移動局は前記パーシストテンス値を利用してパーシストテンステスト(persistence test)を遂行する。前記テストに成功した場合にはデータ伝送率を２倍増加させるか、１／２に減少させ、テストに失敗した場合にはデータ伝送率を維持する。
【００１１】
即ち、ＲＡＢが“０”であり、パーシストテンステストに成功すると、データ伝送率を２倍増加させる。これと異なりＲＡＢが“１”であり、パーシストテンステストに成功すると、データ伝送率を１／２に減少させる。この時、パーシストテンステストは任意の数をランダムに生成し、前記生成された数がパーシストテンスベクトルに定義された値を満足させると、パーシストテンステストに成功したと判断する。この時、逆方向データ伝送率が確率的な不確実性を有して動作するので、基地局は幾つかの移動局が逆方向データ伝送率を増加させるか、または減少させるかが分からない。従って、逆方向リンクではキャパシティーの余裕が多くの状況から逆方向リンクの全体活用(full utilization)状態に到達するまで遅延が発生する。また逆方向リンクの全体活用(full utilization)状態に到達するようになると、オーバーロード状態とアンダロード状態が交互になる。しかし、基地局は単にＲＡＢ値のみを送信し、移動局はパーシストテンステスト結果により伝送率の増減を遂行するので、オーバーロードの状態とアンダロード状態がどの程度であるか分からない問題がある。
【００１２】
オーバーロードが大きくなると、移動局が伝送するデータの損失が増加する問題が発生する。一方、アンダロードが大きくなると、逆方向チャネルの使用効率が低下する。従って、逆方向リンクの全体活用(full utilization)状態に迅速に到達する方法と、基地局がオーバーロードの発生を防止しながら逆方向チャネルの使用効率を増加させることができる方法が提供されるべきである。
【００１３】
図１は１xＥＶＤＯシステムの移動局で使用する逆方向伝送率の制御流れ図である。以下、図１を参照して１xＥＶＤＯシステムの移動局で使用する逆方向伝送率制御過程を説明する。
【００１４】
先ず、移動局は逆方向リンクにデータを最初伝送する場合、最低伝送率にデータの伝送率を決定する。その後、移動局は現在伝送率が基地局から受信されたＲＲＬ(Reverse Rate Limit)メッセージで指示する伝送率より低い場合、３２スロット(５３．３３ms)を待機した後、ＲＲＬメッセージで指示した伝送率に逆方向データを伝送する。その後、前記図１に示したように逆方向伝送率を決定するようになる。また現在の伝送率がＲＲＬメッセージで指示する伝送率より高い場合、移動局は基地局から受信された低いデータ伝送率にすぐ転換して逆方向データを伝送する。上述したＲＲＬメッセージは、初期伝送率決定時と伝送率の再決定時に基地局から移動局に伝送されるメッセージである。
【００１５】
また移動局はデータ伝送率が決定されると、下記表２に示したようなＲＲＩ(Reverse Rate Indicator)シンボルを通じて現在伝送している逆方向リンクのデータ伝送率を基地局に知らせる。この時、逆方向リンクのデータ伝送率は４．８、９．６、１９．２、３８．４、７６．８、１５３．６Kbpsのうちの一つが選択される。このような逆方向リンクの伝送率は前記基地局から受信されるＲＲＬメッセージ、またはＲＡＢメッセージのようなメッセージにより再設定されることができる。
【００１６】
【表２】
2004528769.tif 000005
【００１７】
前記表２は１xＥＶＤＯシステムで使用するＲＲＩ(Reverse Rate Indicator)シンボルの構成図を示した。基地局は前記表２のＲＲＩシンボルを通じて移動局の逆方向リンクデータ伝送率を確認し、以後、移動局の逆方向リンクのデータ伝送率を再設定する。移動局の逆方向リンクのデータ伝送率を再設定する場合、基地局は移動局に下記表３のようなＲＲＬ(Reverse Rate Limit)メッセージを伝送すべきである。
【００１８】
【表３】
2004528769.tif 000006
【００１９】
前記表３はＲＲＬ(Reverse rate Limit)メッセージの構成図を示している。
前記ＲＲＬメッセージは基地局から移動局に伝送されるメッセージとして、逆方向リンクのデータ伝送率を制御するために使用される。移動局は前記ＲＲＬメッセージを受信して自己に設定されたデータ伝送率と現在のデータ伝送率を比較して伝送するデータ伝送率を設定するようになる。前記ＲＲＬメッセージ内に２９個のレコードが挿入されることができ、それぞれのレコードは該当ＭＡＣindexに割り当てられたデータ伝送率を示す。ＭＡＣ indexは３番から３１番まで付加される。
【００２０】
前記表３で“Message ID”フィールドはＲＲＬメッセージのＩＤを示し、“RateLimitIncluded”は“RateLimit”がＲＲＬメッセージに含まれているかを示すフィールドである。即ち、“RateLimit”が含まれていると、“RateLimitIncluded”フィールドは“１”にセットされ、そうでないと“０”にセットされる。“RateLimit”フィールドは基地局が移動局に割り当てたデータ伝送率を示す部分として、“RateLimitIncluded”フィールドが“１”にセットされている場合のみに付加される。基地局は表４に示したような４ビットを利用して次のような逆方向リンクのデータ伝送率を移動局に割り当てることができる。
【００２１】
【表４】
2004528769.tif 000007
【００２２】
逆方向データ伝送中に、前記移動局は基地局から伝送される順方向(Forward)ＭＡＣチャネルを監視する。特に、順方向ＭＡＣチャネルを通じて伝送されるＲＡＢ(Reverse Activity Bit)を監視し、パーシストテンステストを遂行して現在伝送中である逆方向データ伝送率を制御する。
【００２３】
図１を参照すると、移動局は１００段階で前記ＭＡＣチャネル中、逆方向リンクの混雑度を指示するＲＡＢ(Reverse Activity Bit)を監視する。前記移動局は１００段階でＲＡＢが検出されると、１０２段階に進行して検出されたＲＡＢが“１”の値を有するかを検査する。即ち、移動局が６個のアクティブセット(Active set)を有する場合、移動局は６個のアクティブセットから受信されたすべての順方向ＭＡＣチャネルのいずれか一つのＲＡＢでも１を有するかを検査する。前記検査結果、少なくとも一つのＲＡＢが１の値を有する場合、１１２段階に進行し、そうでない場合、１０４段階に進行する。
【００２４】
先ず、アクティブセット内のすべてのＲＡＢが０である場合を説明する。
ＲＡＢが０であると、移動局は１０４段階に進行して、パーシストテンステストを遂行する。このようなパーシストテンステストは基地局からＲＡＢがブロードキャストされる場合に使用する。即ち、基地局がＲＡＢ一つのメッセージを通じて多数個の移動局を同時に制御する場合、逆方向リンクに送信されるデータの量を制御するために使用される。前記パーシストテンステストは発生されたランダム数字が所望する条件を満足するか否かによって成功するか、失敗する。
【００２５】
従って、前記移動局は１０４段階でパーシストテンステストが成功した場合、１０６段階に進行して逆方向の送信率(TX rate)を増加させる。一方、パーシストテンステストが失敗した場合、１２０段階に進行する。前記移動局は１０６段階で逆方向送信率を増加させた後、１０８段階に進行して増加された送信伝送率(TX rate)と最大送信伝送率(max TX rate)を比較する。前記移動局は前記増加された送信伝送率が最大送信伝送率より大きい場合、１１０段階に進行して前記送信伝送率(TX rate)を最大送信伝送率(Max TX rate)に設定した後、１２０段階に進行する。もし、１０８段階で前記増加された送信伝送率(TX rate)が最大送信伝送率(max TX rate)より大きくないと、前記移動局はすぐ１２０段階に進行する。
【００２６】
次に、アクティブセット内の少なくとも一つのＲＡＢが１である場合を説明する。即ち、１０２段階から１１２段階に進行する場合である。
１０２段階でＲＡＢが１である場合、移動局は１１２段階でパーシストテンステストを遂行する。前記パーシストテンステストが失敗すると、前記移動局は１２０段階に進行する。前記パーシストテンステストが成功すると、前記移動局は１１４段階で逆方向送信率を減少させた後、１１６段階に進行して減少された送信伝送率(TX rate)と最小送信伝送率(min TX rate)を比較する。前記移動局は前記減少された送信伝送率が最小送信伝送率より小さい場合、１１８段階に進行し、そうでないと１２０段階に進行する。前記移動局は１１８段階で前記送信伝送率を最小送信伝送率に設定した後、１２０段階に進行する。ここで最低伝送率はデフォルト(default)に設定された９．６kbpsであることもでき、コネクション連結時、メッセージにより最低伝送率が指定されることもできる。
【００２７】
前記移動局はこのように伝送率を決定した後、１２０段階に進行して決定された伝送率に対応するＲＲＩシンボルを生成する。その後、１２２段階で移動局は前記基地局と前記移動局間のトラヒックコネクションがオープン(open)されている場合のみにトラヒックとＲＲＩシンボルを送信する。もし、トラヒックコネクションがオープンされていない場合には、ＲＲＩシンボルのみを送信する。
【００２８】
図２はアクティブセットに含まれたＨＤＲセクタと移動局間の送受信動作を説明するための図である。図２から分かるように、コネクションがオープンされているセクタ１と移動局間には順方向及び逆方向トラヒックチャネル、順方向及び逆方向ＭＡＣチャネルが割り当てられており、コネクションがオープンされていないセクタ(２番−最大６番)と移動局間には順方向トラヒックチャネルが割り当てられていない。前記１ｘＥＶＤＯシステムを使用する場合、移動局は最大６個のアクティブセットを維持することができる。従って、移動局はアクティブセット内に含まれたすべてのセクタの制御チャネルである順方向ＭＡＣチャネルをモニタリングし、特に、ＲＡＢをモニタリングして逆方向データ伝送率を決定する。
【００２９】
移動局は、少なくとも一つのＲＡＢが“１”にセットされている情報を受信すると、逆方向データの伝送率減少のためのパーシストテンステストを遂行する。移動局はパーシストテンステストの遂行時にランダムな(Random)数字を生成して、これをコネクション連結時、または連結中に基地局から受信したパーシストテンスベクトルに定義された値と比較する。前記比較の結果、前記ランダムに生成した数字が所望する条件を満足させると、パーシストテンステストに成功したと判断する。即ち、受信されたＲＡＢのいずれか一つでも“１”にセットされ、前記パーシストテンステストに成功した場合、現在逆方向データ伝送率を１／２に減少する。しかし、パーシストテンステストに失敗した場合にはデータ伝送率を維持する。この時、逆方向データ伝送率が最低伝送率より小さくなると、移動局は逆方向データ伝送率を最低伝送率に維持する。また、アクティブセットに含まれたセクタから受信されたＲＡＢがすべて“０”にセットされており、パーシストテンステストに成功したら、現在逆方向データ伝送率を２倍に増加させる。しかし、パーシストテンステストに失敗した場合にはデータ伝送率を維持する。この時にも逆方向データ伝送率が最大伝送率より大きくなると、データ伝送率を最大伝送率に設定する。また、伝送電力に制限される端末であれば、現在のデータ伝送率をそのまま維持する。このようにデータ伝送率を２倍増加、または１／２に減少させる機能を遂行するＲＡＢは、ＦＡＢと共に時分割多重化(Time multiplexing)され共通チャネル(Common Channel)である順方向ＭＡＣチャネルを通じて移動局に伝送される。従って、ＲＡＢはすべての移動局に伝送され、すべての移動局はＲＡＢの命令に従って一律にデータ伝送率を増加、または減少させるようになる。
【００３０】
このような現在の１xＥＶＤＯシステムの逆方向リンクのデータ伝送率制御方法は、システム側面では単純な帯域幅の制御及びオーバーロード制御が可能である。しかし、上述した方法は端末の状態を考慮しない一括的な制御方式として帯域幅の浪費をもたらし、端末のデータ伝送効率を低下させる問題がある。
【００３１】
また、逆方向リンクの全体活用(full utilization)状態に到達するまでは多くの時間遅延が発生する問題がある。これによりチャネル活用の効率が低下される問題が発生した。これだけではなく移動局はオーバーロードが発生する場合、伝送されるデータの損失をもたらす。これにより通信品質が低下される問題があった。
【発明の開示】
【発明が解決しようとする課題】
【００３２】
従って、本発明の目的は、短時間内に逆方向リンクの全体活用(full utilization)状態に到達することができる方法を提供することにある。
【００３３】
本発明の他の目的は、逆方向リンクの使用効率を高めることができる方法を提供することにある。
【００３４】
本発明のさらに他の目的は、逆方向リンクのオーバーロード発生を防止するための方法を提供することにある。
【課題を解決するための手段】
【００３５】
従って、上述したような目的を解決するための本発明は、基地局から移動端末に順方向チャネルを通じて前記移動端末のデータ伝送率変更のための順方向情報を受信した後、前記移動端末が伝送しようとするデータの伝送率を制御する方法において、前記順方向情報が前記データ伝送率の増加を示す場合、前記移動端末の最大伝送率内で前記データ伝送率を増加する過程と、次のフレームの前記データ伝送率の増加可能可否を検査し、前記検査結果を伝送率情報と共に前記基地局に伝送する過程と、を含む。
【００３６】
前記順方向情報が前記データ伝送率の条件付き増加を示す場合、以前フレームの伝送率増加情報に基づいて、最大伝送率内で前記データ伝送率を増加する過程と、次のフレームの前記データ伝送率の増加可能可否を検査し、前記検査結果を伝送率情報と共に前記基地局に伝送する過程と、を含み、前記順方向情報が前記データ伝送率の条件付き減少を示す場合、以前フレームの伝送率増加情報に基づいて、最小伝送率内で前記データ伝送率を減少する過程と、次のフレームの前記データ伝送率の増加可能可否を検査し、前記検査結果を伝送率情報と共に前記基地局に伝送する過程と、を含み、前記順方向情報が前記データ伝送率の無条件維持を示す場合、現在データ伝送率を維持する過程と、次のフレームの前記データ伝送率の維持可能可否を検査し、前記検査結果を伝送率情報と共に前記基地局に伝送する過程と、を含む。
【００３７】
前記順方向情報は、前記基地局から受信される拡張逆方向活性ビットを通じて検査し、前記順方向情報を伝送する基地局が二つ以上である場合、前記基地局から受信された拡張逆方向活性ビットから制御逆方向活性ビットを決定し、これを前記伝送率変更情報に利用し、前記制御逆方向活性ビットは、下記条件に応じて構成される。
条件
すべての基地局から受信された拡張逆方向活性ビットのうち、少なくとも一つの拡張逆方向活性ビットが条件付き減少である場合、制御逆方向活性ビットを条件付き減少に設定し、すべての基地局から受信された拡張逆方向活性ビットが条件付き減少でなく、少なくとも一つの拡張逆方向活性ビットが無条件維持である場合、制御逆方向活性ビットを無条件維持に設定し、すべての基地局から受信された拡張逆方向活性ビットが条件付き減少でも無条件維持でもなく、少なくとも一つの拡張逆方向活性ビットが条件付き増加である場合、制御逆方向活性ビットを条件付き増加に設定し、すべての基地局から受信された拡張逆方向活性ビットのすべてが無条件増加である場合、制御逆方向活性ビットを無条件増加に設定する。
【００３８】
さらに、上述したような目的を解決するための本発明は、移動端末から次のフレームの逆方向データ伝送率の増加可能可否情報を受信した後、前記移動端末の逆方向データ伝送率を制御する方法において、前記移動端末から受信された逆方向リンクの増加可能可否情報値及び逆方向リンクの受容容量を検査して前記移動端末の拡張逆方向活性ビットを決定し、これを移動端末に送信する過程を含む。
【００３９】
前記拡張逆方向活性ビットの決定は、現在逆方向状態が過負荷状態である場合、条件付き減少を知らせる逆方向活性ビットを生成し、現在逆方向状態がすべての端末の伝送率が増加しても過負荷にならない場合、無条件増加を知らせる逆方向活性ビットを生成し、現在逆方向状態が過負荷状態でなく、同時に前記伝送率の増加が可能なすべての端末の伝送率増加を受容することができる場合、条件付き増加を知らせる逆方向活性ビットを生成し、現在逆方向状態が過負荷状態でなく、同時に前記伝送率の増加が可能なすべての端末の伝送率増加を受容できない場合、無条件維持を知らせる逆方向活性ビットを生成する。
【発明の効果】
【００４０】
本発明によると、移動局で次のフレームの増加可能可否を予め把握し、これを基地局に伝送することによって基地局は次のフレームの逆方向伝送時に計画された逆方向リンクの制御が可能な利点がある。これを通じてオーバーロードの発生を抑制して移動局のデータ流失を防止することができる利点がある。また逆方向リンクの伝送効率を極大化させることができる利点がある。
【発明を実施するための最良の形態】
【００４１】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
本発明は１ｘＥＶＤＯシステム及び新しい高速データ伝送システムの逆方向リンクのデータ伝送率制御方法のための移動局の動作アルゴリズムと、これを支援するためのＲＡＢとＲＲＩシンボル(symbol)の新しい構造(以下、ＲＲＩシンボルの新しい構造を“拡張ＲＲＩ”と称する)で構成される。また、逆方向リンクのデータ伝送率制御方法を支援するための基地局の動作などで構成される。
【００４２】
先ず、本発明の説明前、本発明によって変更されたＲＡＢの構造を説明する。以下、下記表５に示したＲＡＢを“拡張逆方向活性ビット(ＲＡＢ)”と称する。
【００４３】
【表５】
2004528769.tif 000008
【００４４】
前記表５は本発明に従って高速データ伝送システム、または１ｘＥＶＤＯシステムで使用するための拡張ＲＡＢを示している。従来の１ｘＥＶＤＯシステムではＲＡＢを１ビットに使用することによって伝送率の増加と減少のみを示した。しかし、本発明では前記表５のように拡張ＲＡＢを使用することによって、増加、維持及び減少を示すことができる。これを詳述すると、下記のようである。
【００４５】
(１) 拡張ＲＡＢが“００”である場合
以前フレームでデータ伝送率増加のためのパーシストテンスプリテスト(persistence pre-test)に成功した移動局のみが逆方向データ伝送率を２倍増加する。即ち、条件付き増加の場合である。
【００４６】
(２) 拡張ＲＡＢが“０１”である場合
データ伝送率減少のためのパーシストテンステストに成功した移動局のみがデータ伝送率を１／２に減少する。即ち、条件付き減少の場合である。
【００４７】
(３)拡張ＲＡＢが“１０”である場合
すべての移動局が伝送率増加のためのパーシストテンスプリテスト結果に関係なし移動局のデータ伝送率を２倍増加させる。即ち、無条件増加の場合である。
【００４８】
(４)拡張ＲＡＢが“１１”である場合
すべての移動局が伝送率増加のためのパーシストテンスプリテスト結果に関係なしデータ伝送率を維持する。即ち、無条件維持の場合である。
【００４９】
図３Ａ乃至図３Ｆは本発明の望ましい実施形態に応じた高速データ伝送システムの端末で逆方向リンクのデータ伝送率の制御流れを示した図である。以下、図３Ａ乃至図３Ｆを参照して本発明に従って移動局で遂行される逆方向リンクのデータ伝送率の制御過程を詳細に説明する。
【００５０】
移動局は３００段階でアクティブセット内に存在するすべての基地局からフレームごとに順方向ＭＡＣチャネルを通じて受信される拡張ＲＡＢ値を検査する。この時、逆方向リンクに使用することができるデータ伝送率はＲＲＩシンボルにより定義されたデータ伝送率のみが使用可能である。また、移動局は最大６個のアクティブセットを維持することができる。アクティブセットは現在移動局をサービスしているセクタ(Sector)のパイロット、即ち移動局と基地局のコネクション(connection)がオープンされると、アクティブセット内の基地局(ら)は移動局に順方向トラヒックチャネル、逆方向トラヒックチャネル及び逆方向電力制御チャネルを割り当てるようになる。しかし、コネクションがオープンされない場合には移動局はセクタの制御チャネルのみを監視するようになる。アクティブセットから受信した拡張ＲＡＢは下記条件に基づいて制御ＲＡＢを生成する。以下の説明でアクティブセット(ら)から拡張ＲＡＢを受信して移動局で下記条件により実際に前記端末機の逆方向データ伝送に使用するＲＡＢを“制御ＲＡＢ”とする。
【００５１】
一方、１個以上のアクティブセット(ら)から受信する“拡張ＲＡＢ”値は、下記の条件に応じて前記“制御ＲＡＢ”に決定される。
＜条件＞
(１)すべてのアクティブセット(ら)から受信された拡張ＲＡＢ(ら)のうち、少なくとも一つの拡張ＲＡＢが“０１”にセットされた場合;
制御ＲＡＢを“０１”に設定
(２)すべてのアクティブセット(ら)から受信されたいずれの拡張ＲＡＢ(ら)も“０１”にセットされなく、少なくとも一つの拡張ＲＡＢが“１１”にセットされた場合;
制御ＲＡＢを“１１”に設定
(３)すべてのアクティブセット(ら)から受信されたいずれの拡張ＲＡＢ(ら)も“０１”または“１１”にセットされなく、少なくとも一つの拡張ＲＡＢが“００”にセットされた場合;
制御ＲＡＢを“００”に設定
(４)すべてのアクティブセット(ら)から受信されたすべての拡張ＲＡＢ(ら)が“１０”にセットされた場合;
制御ＲＡＢを“１０”に設定
【００５２】
前記＜条件＞のように制御ＲＡＢが設定されることは、伝送率が増加する場合、セクタ内の容量に大きい影響を及ぶからである。
上述したように、制御ＲＡＢを設定した以後、移動局は３０２段階乃至３０６段階で制御ＲＡＢの値を検査する。前記制御ＲＡＢが“００”の値を有する場合、３１０段階に進行し、前記制御ＲＡＢが“０１”の値を有する場合、３３０段階に進行し、前記制御ＲＡＢが“１０”の値を有する場合、３５０段階に進行し、前記制御ＲＡＢが“１１”の値を有する場合、３７０段階に進行する。
【００５３】
すると、先ず前記制御ＲＡＢが“００”の値を有する場合、即ち、３１０段階に進行する場合を図３Ｂ及び図３Ｆを利用して説明する。
前記移動局は３１０段階に進行すると、増加パーシストテンスプリテスト結果値を貯蔵しているPreTestResを検査してテスト結果値が成功(PreTestRes＝０)であるかを検査する。前記検査結果、連続性テスト結果値が成功である場合、３１２段階に進行し、そうでない場合、３１８段階に進行する。前記移動局は３１２段階に進行すると、逆方向リンクの伝送率(TX rate)を増加させる。そして３１４段階に進行して増加された伝送率が最大伝送率(max TX rate)より大きいかを検査する。前記検査結果、増加された伝送率が最大伝送率より大きい場合、３１６段階に進行して逆方向リンクの伝送率を最大伝送率に設定した後、３１８段階に進行する。しかし、逆方向リンクの伝送率が最大伝送率より大きくない場合、逆方向リンクの伝送率を前記増加された伝送率に設定した後、３１８段階に進行する。即ち、上述した過程を通じて逆方向伝送率の設定が完了される。
【００５４】
３１８段階で、移動局は次のフレームで逆方向リンクの伝送率制御のために増加パーシストテンスプリテストを遂行する。前記移動局は前記テストが成功した場合、３２０段階に進行して前記テスト結果値を０に設定し、３８０段階に進行して本発明に従って設定された拡張ＲＲＩシンボルによる伝送を遂行する。これと異なり、移動局は前記テストが失敗した場合、３２２段階に進行して前記テスト結果値を１に設定した後、３８２段階に進行して本発明に従って設定された拡張ＲＲＩシンボルによる伝送を遂行する。
【００５５】
この時、移動局はＲＲＬメッセージ内に各個別端末の最大許容伝送率に端末が伝送している場合のようにＲＲＬメッセージなどにより伝送率が制限されるか、または移動局の送信電力の制限などにより現在の逆方向データ伝送率をこれ以上増加させることができない場合、または移動局の伝送バッファに貯蔵されたデータ量が設定した臨界値以下である場合(伝送率の増加なしも現在バッファに貯蔵されたデータを十分に伝送できる場合)のような場合には、増加パーシストテンスプリテストの遂行に関係なし増加パーシストテンスプリテストが失敗したことに設定する。
【００５６】
本発明に従う拡張ＲＲＩシンボルを下記表６を参照して説明する。
【００５７】
【表６】
2004528769.tif 000009
【００５８】
前記表６でＲＲＩ(Reverse Rate Indicator)シンボル(symbol)は、従来技術で説明したように、移動局から基地局に伝送されるシンボルに移動局の現在伝送率を基地局に知らせて、基地局が移動局から伝送されるデータを復元するための情報に使用される。このように使用されるＲＲＩシンボルを１ｘＥＶＤＶシステムで定義されている伝送率を受容するように変更する。そしてＲＲＩシンボルを拡張してＲＲＩシンボルの一番目フィールドに移動局の伝送率増加のための増加パーシストテンスプリテスト結果(PreTestRes)が含まれるようにしてこれを基地局に伝送する。
【００５９】
次に、制御ＲＡＢが“０１”に設定された場合を図３Ｃ及び図３Ｆを利用して説明する。
３０４段階で制御ＲＡＢが“０１”に設定されると、移動局は３３０段階に進行して減少パーシストテンステストを遂行する。前記減少パーシストテンステストが成功すると、３３２段階に進行し、そうでない場合、３３８段階に進行する。前記移動局は３３２段階で、逆方向リンクの伝送率(TX rate)を減少し、３３４段階で逆方向リンクの最小伝送率(min TX rate)と前記減少された逆方向リンクの伝送率を比較する。前記比較結果、減少された逆方向伝送率が最小伝送率より小さい場合、３３６段階に進行し、そうでない場合、３３８段階に進行する。前記３３６段階で前記移動局は逆方向リンクの伝送率を最小伝送率に設定した後、３３８段階に進行する。
【００６０】
前記移動局は３３８段階に進行すると、次のフレームでの逆方向リンク伝送率制御のため増加パーシストテンスプリテストを遂行する。前記移動局は前記テストが成功した場合、３４０段階に進行して前記テスト結果値を０に設定し、３８０段階に進行して本発明に従って前記表６のように設定された拡張ＲＲＩシンボルによる伝送を遂行する。これと異なり移動局は前記テストが失敗した場合、３４２段階に進行して前記テスト結果値を１に設定した後、３８２段階に進行して前記設定された拡張ＲＲＩシンボルによる伝送を遂行する。
【００６１】
この時、ＲＲＬメッセージにより伝送率が制限されるか、移動局の送信電力の制限などにより現在の逆方向データ伝送率をこれ以上増加させることができない場合と、移動局の伝送バッファに貯蔵されたデータ量が設定した臨界値以下である場合などにより、移動局が現在の逆方向データ伝送率をこれ以上増加させる必要がない場合には、前記３３８段階の伝送率増加のための増加パーシストテンステストの遂行に関係なし増加パーシストテンステストに失敗したことに見なしてPreTestResを“１”にセットする。
【００６２】
次に、制御ＲＡＢが“１０”に設定された場合を図３Ｄ及び図３Ｆを利用して説明する。
移動局は制御ＲＡＢが１０に設定された場合、増加パーシストテンステストの結果に関係なしデータの増加が必要な場合であるので、３５０段階に進行して逆方向リンクの送信伝送率(TX rate)を増加させる。その後、３５２段階に進行して増加された逆方向送信伝送率(TX rate)が逆方向リンクの最大送信伝送率(max TX rate)より大きいかを検査する。前記３５２段階の検査結果、逆方向リンクの最大送信伝送率より大きい場合、３５４段階に進行して送信伝送率を最大伝送率に設定し３５６段階に進行する。しかし、前記３５２段階の検査結果、増加された送信伝送率が最大伝送率より大きくない場合、逆方向リンクの伝送率を前記増加された伝送率に設定した後、３５６段階に進行する。
【００６３】
前記移動局は３５６段階に進行すると、次のフレームでの逆方向リンク伝送率制御のため増加パーシストテンスプリテストを遂行する。前記移動局は連続性テストが成功した場合、３５８段階に進行して連続性テスト結果値を０に設定した後、３８０段階に進行して本発明に従って前記表６のように設定された拡張ＲＲＩシンボルによる伝送を遂行する。これと異なり移動局は連続性テストが失敗した場合、３６０段階に進行して連続性テスト結果値を１に設定した後、前記表６のように設定された拡張ＲＲＩシンボルによる伝送を遂行する。
【００６４】
この時、ＲＲＬメッセージなどにより伝送率が制限されるか、移動局の送信電力の制限などにより現在の逆方向データ伝送率をこれ以上増加させることができない場合と移動局の伝送バッファに貯蔵されたデータ量が設定した臨界値以下である場合などにより、移動局が現在の逆方向データ伝送率をこれ以上増加させる必要がない場合には、前記３３８段階の伝送率増加のための増加パーシストテンスプリテスト遂行に関係なし増加増加パーシストテンスプリテストに失敗したことに見なしてPreTestResを“１”にセットする。
【００６５】
最後に、制御ＲＡＢが“１１”に設定された場合を図３Ｅ及び図３Ｆを利用して説明する。
前記移動局は制御ＲＡＢが“１１”に設定されている場合、即ち、現在伝送率を維持するように制御ＲＡＢが設定された場合、３７０段階に進行する。すると移動局は３７０段階で以前フレームの逆方向リンク状態を基地局に通知する時に遂行した増加パーシストテンスプリテストの結果を示すPreTestResの値を検査する。前記移動局は３７０段階の検査結果、PreTestResの値が０である場合、即ち、増加が可能な場合、３７２段階に進行して次のフレームの逆方向リンク制御のための増加パーシストテンスプリテストを遂行する。前記移動局は前記３７２段階の検査結果、増加パーシストテンスプリテストが成功した場合、３７４段階に進行してPreTestResを０に設定する。そして３８０段階に進行して拡張ＲＲＩを設定した後、データ及び拡張ＲＲＩを送信する。
【００６６】
しかし、前記３７０段階の検査結果、PreTestResの値が１である場合、または３７２段階でパーシストテンステストが失敗した場合、３７６段階に進行してPreTestResを１に設定した後、３８２段階に進行して拡張ＲＲＩ値を設定した後、データ及び拡張ＲＲＩを送信する。ここで、拡張ＲＡＢの値によって端末の伝送率維持命令にも関わらず、PreTestResの値が０に設定された端末のみが増加パーシストテンスプリテストを遂行することは、逆方向の容量を保存するためである。
【００６７】
図４は本発明の望ましい実施形態によってデータ伝送システムの基地局で逆方向リンクのデータ伝送率制御のための制御流れ図である。以下、図４を参照して本発明に従う逆方向リンクのデータ伝送率制御過程を詳細に説明する。
【００６８】
移動局が基地局に接続(connection open)のための要求(request)メッセージを伝送すると、基地局は４００段階で移動局を獲得(acquisition)する過程を遂行し、４０２段階に進行して移動局端末機の特性を分析する。そして４０４段階に進行して現在移動局が伝送しようとするトラヒックの特性を分析する。即ち、移動局が要求するパケットデータのサービス品質(Quality of Service)を分析する。このような分析が完了されると、基地局は４０６段階に進行して各移動局を指定するＭＡＣindexフィールドをセットする。そして、移動局は４０８段階に進行して前記４０４段階で分析した応用サービスの特性及び移動局の特性を考慮して送信率の制限幅を決定するRate Limit値を決定する。その後、前記基地局は４１０段階に進行して各移動局を指定するＭＡＣindex値を設定する。以後、基地局は４１２段階に進行して逆方向リンクの送信率制限幅の値ＲＲＬメッセージを組み合わせて、４１４段階に進行してＲＲＬメッセージが組み合わせられたメッセージを各移動局へ伝達する。
【００６９】
以後、基地局は４１６段階で各移動局から受信される次のフレームの伝送率増加可能可否を知らせるPreTestRes値を受信してこれを分析する。そして、基地局は４１８段階に進行して現在逆方向チャネルの状況を検査して逆方向チャネルの状態による拡張ＲＡＢ値を生成した後、４２０段階でこれをすべての端末にブロードキャストする。また各端末ごとに拡張ＲＡＢ値が設定される場合、ブロードキャストしなくこれを該当端末のみに伝送するように構成することもできる。
【００７０】
図５は本発明の望ましい実施形態に従って高速データ伝送システムの基地局での逆方向リンクのデータ伝送率制御のための拡張ＲＡＢ設定時の制御流れ図である。以下、図５を参照して本発明に従う逆方向リンクのデータ伝送率制御のための制御過程を詳細に説明する。
【００７１】
基地局は５００段階で現在の逆方向リンクがオーバーロード状態であるかを検査する。前記検査結果、逆方向リンクがオーバーロード状態である場合、５１２段階に進行して拡張ＲＡＢ値を“０１”に設定する。このように拡張ＲＡＢ値が“０１”に設定されると、該当移動局は制御ＲＡＢが“０１”に設定され、移動局で遂行するパーシストテンステストによって逆方向リンクの伝送率が減少される。
【００７２】
しかし、前記５００段階の検査結果、逆方向リンクの状態がオーバーロードでない場合、５０２段階に進行して逆方向リンクがロウロードの状態であるかを検査する。基地局は前記５０２段階の検査結果、ロウロードの状態である場合、５１０段階に進行して前記拡張ＲＡＢ値を１０に設定して移動局に伝送する。
【００７３】
一方、前記基地局は５０２段階の検査結果、逆方向リンクの状態がロウロード状態でない場合、５０４段階に進行して移動局から受信されたPreTestRes値を検査して次のフレームでオーバーロードの発生可否を検査する。前記検査結果、次のフレームでオーバーロードが発生する場合、５０８段階に進行して拡張ＲＡＢを１１に設定する。しかし、次のフレームでオーバーロードが発生しない場合、５０６段階に進行して拡張ＲＡＢ値を００に設定する。上述した過程を通じて設定された拡張ＲＡＢ値は該当端末のみにブロードキャスト、または伝送される。
【００７４】
一方、本発明の実施形態では１個の端末が１個の無線トラヒックチャネルを使用することに例を挙げたが、１個の端末が２個の無線トラヒックチャネルを使用する場合に対しては、次のような実施形態として動作可能である。
【００７５】
１）一つのＲＡＢ(２bits)とＲＲＩシンボル(symbol)を７ビット(bits)に使用する場合
二つの逆方向無線トラヒックチャネルで使用される逆方向データ伝送率の増加、維持、減少が同時に発生するようにし(１個のチャネル当たり１ビットのＲＡＢに表現)、ＲＲＩシンボル(symbol)のうち１ビット(bit)(例、ＭＳＢ)に増加パーシストテンスプリテスト結果値が含まれるようにする。ＲＲＩシンボル(symbol)のうち３ビット(bits)は一番目の逆方向無線トラヒックチャネルのデータ伝送率を、他の３ビットは２番目の逆方向無線トラヒックチャネルのデータ伝送率を示し、二つの逆方向無線チャネルの増加パーシストテンスプリテスト結果値と基地局から受信するＲＡＢによって伝送率が増減される。
【００７６】
２)一つのＲＡＢ(２bits)とＲＲＩシンボルを８ビットに使用する場合
二つの逆方向無線トラヒックチャネルが一つのＲＡＢにより共通的に制御されるが、増加パーシストテンスプリテストは独立的に遂行することにより、逆方向データ伝送率が独立的に変化される。ＲＲＩシンボル(symbol)の１ビット(bit)には一番目の逆方向無線トラヒックチャネルのための増加パーシストテンスプリテスト結果値が含まれ、ＲＲＩシンボル(symbol)の他の１ビット(bit)には二番目逆方向無線トラヒックチャネルのための増加パーシストテンスプリテスト結果値が含まれる。従って、ＲＲＩシンボル(symbol)の他の６ビット(bits)は３ビットずつ一番目の逆方向無線トラヒックチャネルと二番目の逆方向無線トラヒックチャネルの伝送率を示す。移動局は二つの逆方向無線トラヒックチャネルに対して独立的に増加パーシストテンスプリテストを遂行するようになり、 移動局は基地局から共通的に受信するＲＡＢとそれぞれの逆方向無線トラヒックチャネルのため遂行した増加パーシストテンスプリテスト結果によってそれぞれの逆方向無線トラヒックチャネルの伝送率を独立的に変化させる。
【００７７】
３)二つのＲＡＢ(２bits*２個)とＲＲＩシンボル７ビットを使用する場合
二つの逆方向無線トラヒックチャネルのためにそれぞれＲＡＢが割り当てられており、二つの逆方向無線トラヒックチャネルの伝送率は独立的に変化される。二つの逆方向無線トラヒックチャネルのために一つの増加パーシストテンスプリテストを遂行する(減少パーシストテンステストは二つの逆方向無線トラヒックチャネルのためにそれぞれ個別的に遂行可能であり、共通的に一度のテストのみが可能な場合もある)。 ＲＲＩシンボル(symbol)の使用は前記１）の場合と同一である。移動局はそれぞれの逆方向無線トラヒックチャネルに対してそれぞれに割り当てられたＲＡＢ情報を利用してデータ伝送率を調節するが、増加パーシストテンスプリテスト結果値は二つの逆方向無線トラヒックチャネルに共通的に使用して伝送率を調節することができる。
【００７８】
４)二つのＲＡＢ(２bits*２個)とＲＲＩシンボル(symbol)を８ビット(bits)に使用する場合
二つの逆方向無線トラヒックチャネルのためにそれぞれＲＡＢが割り当てられ、増加パーシストテンスプリテストもそれぞれ個別的に遂行し、ＲＲＩシンボル(symbol)の使用は前記２)の場合と同一である。一つの逆方向無線トラヒックチャネルを制御する場合と同様に二つの逆方向無線トラヒックチャネルを独立的に制御する。また、追加的に前記逆方向無線トラヒックチャネルの増加パーシストテンスプリテスト値は本発明の実施形態で提示したＲＲＩチャネルだけではなく他のチャネル(例：ＲＩＣＨ)を通じて伝送されることができ、新しいチャネルを定義して使用することもできる。この時の伝送周期はフレーム単位が最も理想的であるが、伝送周期に対する制限なし任意に調整することもできる。
【図面の簡単な説明】
【００７９】
【図１】１xＥＶＤＯシステムの移動局で使用する逆方向伝送率の制御流れ図。
【図２】アクティブセットに含まれたＨＤＲセクタと移動局間の送受信動作を説明するための図。
【図３Ａ】本発明の望ましい実施形態に従って高速データ伝送システムの端末で逆方向リンクのデータ伝送率の制御流れ図。
【図３Ｂ】本発明の望ましい実施形態に従って高速データ伝送システムの端末で逆方向リンクのデータ伝送率の制御流れ図。
【図３Ｃ】本発明の望ましい実施形態に従って高速データ伝送システムの端末で逆方向リンクのデータ伝送率の制御流れ図。
【図３Ｄ】本発明の望ましい実施形態に従って高速データ伝送システムの端末で逆方向リンクのデータ伝送率の制御流れ図。
【図３Ｅ】本発明の望ましい実施形態に従って高速データ伝送システムの端末で逆方向リンクのデータ伝送率の制御流れ図。
【図３Ｆ】本発明の望ましい実施形態に従って高速データ伝送システムの端末で逆方向リンクのデータ伝送率の制御流れ図。
【図４】本発明の望ましい実施形態に従ってデータ伝送システムの基地局で逆方向リンクのデータ伝送率制御のための制御流れ図。
【図５】本発明の望ましい実施形態に従って高速データ伝送システムの基地局で逆方向リンクのデータ伝送率制御のための基地局の拡張ＲＡＢ設定の制御流れ図。
【国際公開パンフレット】
2004528769.tif 000010
2004528769.tif 000011
2004528769.tif 000012
2004528769.tif 000013
2004528769.tif 000014
2004528769.tif 000015
2004528769.tif 000016
2004528769.tif 000017
2004528769.tif 000018
2004528769.tif 000019
2004528769.tif 000020
2004528769.tif 000021
2004528769.tif 000022
2004528769.tif 000023
2004528769.tif 000024
2004528769.tif 000025
2004528769.tif 000026
2004528769.tif 000027
2004528769.tif 000028
2004528769.tif 000029
2004528769.tif 000030
2004528769.tif 000031
2004528769.tif 000032
2004528769.tif 000033
2004528769.tif 000034
2004528769.tif 000035
2004528769.tif 000036
2004528769.tif 000037
2004528769.tif 000038
2004528769.tif 000039
2004528769.tif 000040
【国際調査報告】
2004528769.tif 000041